(57)【要約】【課題】温度によるファンモータ駆動電流検出値の検出誤差を補正することにより、気温が変動しても正確にファンモータ駆動電流を検出して、的確なファンモータの駆動制御を行えるようにする。【解決手段】ファンモータＭの駆動電流に応じた電圧を三角波電圧と比較することで駆動電流に応じたデューティ比のパルス信号を生成して、このパルス信号をマイコン１１に入力させる。マイコン１１は、パルス信号のデューティ比に基づいて駆動電流検出値を算出するとともに、パルス信号の周期に基づいて三角波生成回路１５の周囲温度を算出し、この周囲温度に基づいて駆動電流検出値を補正する。【選択図】図１
2017150776.tif 000002
【特許請求の範囲】
【請求項１】
ファンモータの駆動電流を検出する駆動電流検出手段を備える制御装置において、前記駆動電流検出手段を構成する所定の回路部位の温度若しくは前記回路部位の周囲温度を検出する温度検出手段と、該温度検出手段により検出される温度に基づいて前記駆動電流検出手段の駆動電流検出値の検出誤差を補正する検出誤差補正手段とをさらに備えていることを特徴とする制御装置。
【請求項２】
請求項１に記載の制御装置において、
前記駆動電流検出手段は、ファンモータの駆動電流を電圧に変換して出力する電流−電圧変換回路と、周期的な三角波電圧を出力する三角波生成回路と、前記電流−電圧変換回路の出力電圧と前記三角波生成回路の出力電圧とを比較して前記電流−電圧変換回路の出力電圧に応じたデューティ比のパルス信号を出力する比較器と、該比較器が出力するパルス信号のデューティ比に基づく演算により前記駆動電流検出値を算出する演算手段とを備えており、
前記三角波生成回路は、温度に応じて静電容量が変化するコンデンサを回路構成部品として備えるとともに、前記コンデンサの静電容量に応じて前記三角波電圧の周期が変化するよう回路構成されており、
前記温度検出手段は、前記パルス信号の周期に基づいて前記コンデンサの周囲温度を検出することを特徴とする制御装置。
【請求項３】
請求項２に記載の制御装置において、前記コンデンサは、想定使用環境温度範囲内での周囲温度の変化に対して線形的に静電容量が変化するものであることを特徴とする制御装置。
【請求項４】
請求項１に記載の制御装置において、前記温度検出手段は、前記駆動電流検出手段の所定部位に設けられたサーミスタの出力電圧に基づいて前記所定部位の周囲温度を検出することを特徴とする制御装置。
【請求項５】
請求項１〜４のいずれか１項に記載の制御装置と、該制御装置によって動作制御されるファンモータと、該ファンモータの回転軸に取り付けられるファンと、該ファンにより供給される空気と燃料ガスとの混合ガスを燃焼させて燃焼ガスを生成する燃焼部と、前記燃焼ガスとの熱交換により水を加熱する熱交換器とを備える強制給排気型給湯器であって、前記制御装置の前記検出誤差補正手段は、前記燃焼部が燃焼しているときの前記駆動電流検出手段の駆動電流検出値の検出誤差を補正することを特徴とする強制給排気型給湯器。
【発明の詳細な説明】
【技術分野】
【０００１】
本発明は、燃焼機器などに搭載されたファンモータの駆動電流を検出して、駆動電流検出値に基づいてファンモータの回転数制御や燃焼機器の給排気通路の閉塞による燃焼動作停止制御等の適宜の動作制御を行う制御装置に関する。
【背景技術】
【０００２】
強制給排気型の給湯器においては、給排気を強制的に行わせるためのファンが設けられている。該ファンはファンモータにより回転駆動され、ファンモータは制御部によって回転数制御される。
【０００３】
給湯器は、要求給湯号数に応じて複数本のバーナにより構成される燃焼部の燃焼面積を増減するとともに、該燃焼部に供給する燃料ガスの量が比例弁によって調整される。ファンモータの回転数は、供給される燃料ガス量に応じた送風量となるよう制御されるが、給排気路の閉塞度により最適な回転数が異なってくるため、従来より、ファンモータの回転数並びに駆動電流を検出して、検出された回転数並びに駆動電流値に基づいて給排気路の閉塞度合を推定して、最適な目標回転数を演算している（例えば、特許文献１参照）。また、給排気通路の閉塞度に応じて、燃焼動作を停止させる制御を行っている（例えば、特許文献２参照）。
【０００４】
ファンモータの駆動電流検出値に誤差があると、上記した各種燃焼動作制御を正常に行うことができなくなり、送風量の不足若しくは過剰により燃焼効率が悪化したり、閉塞判定の検出遅れ若しくは実際は正常範囲であるのに排気閉塞であると誤判定する原因となる。
【０００５】
ファンモータ駆動電流の取り込み精度の安定化のため、本願出願人は、特許文献３に示すファンモータの駆動電流検出装置を提案している。この電流検出装置は、ファンモータと直列に接続された抵抗器の両端電圧に基づいてファンモータの駆動電流を検出するものであって、抵抗器の両端電圧を増幅する増幅回路と、三角波電圧を生成する三角波生成回路と、増幅回路の出力電圧と三角波生成回路の出力電圧とを比較してパルス信号を出力するコンパレータ回路と、該コンパレータ回路から出力されるパルス信号に基づいてファンモータの駆動電流を演算するマイコンとを備えている。
【先行技術文献】
【特許文献】
【０００６】
【特許文献１】特開２００８−２６１５７９号公報
【特許文献２】特開２０１３−２９２５５号公報
【特許文献３】特開２００１−２８１２７３号公報
【発明の概要】
【発明が解決しようとする課題】
【０００７】
上記従来の駆動電流検出装置は、抵抗器、増幅回路及び三角波生成回路がアナログ回路により主構成されており、また、ファンモータの駆動回路もアナログ回路により主構成されているため、安定した燃焼制御を行わせるためには駆動電流値の校正を行う必要があり、従来は、出荷時に、一定回転数でファンモータを駆動させた場合のファンモータ駆動電流のマイコン読み値が一定となるように、駆動電流検出装置により検出される駆動電流検出値に対する校正値（係数）をＥＥＰＲＯＭに記憶させている。
【０００８】
しかし、実使用時の気温変動による駆動電流検出値の検出誤差は考慮されておらず、同一排気閉塞状態であっても気温によって駆動電流検出値にバラツキが生じて、上記校正を行っても排気閉塞側に早切れしたり、逆に排気閉塞の検出遅れが生じていた。
【０００９】
そこで、本発明は、気温が変動しても正確にファンモータの駆動電流を検出して、ファンモータ駆動電流に基づく各種制御を的確に行えるようにすることを目的とする。
【課題を解決するための手段】
【００１０】
上記目的を達成するために、本発明は、次の技術的手段を講じた。
【００１１】
すなわち、本発明は、ファンモータの駆動電流を検出する駆動電流検出手段を備える制御装置において、前記駆動電流検出手段を構成する所定の回路部位の温度若しくは前記回路部位の周囲温度を検出する温度検出手段と、該温度検出手段により検出される温度に基づいて前記駆動電流検出手段の駆動電流検出値の検出誤差を補正する検出誤差補正手段とをさらに備えていることを特徴とするものである（請求項１）。
【００１２】
かかる本発明の制御装置によれば、気温が変動することによって駆動電流検出値に検出誤差が生じても、温度検出手段により検出される温度に基づいて検出誤差を補正することによって駆動電流を精度よく検出でき、駆動電流検出値に基づく各種制御を的確に行うことができる。
【００１３】
なお、本発明の制御装置は、ファンモータの回転数制御を行うファンモータ制御装置として好適に実施できるが、これに限定されるものではなく、ファンモータの駆動電流に基づいて給排気路の閉塞判定を行って、かかる判定結果に基づいて給湯運転の停止等の所定の制御を行う給湯制御装置としても実施可能であり、その他ファンモータの駆動電流に基づく適宜の制御を行う制御装置として実施できる。また、温度検出手段が温度検出する前記回路部位は、特定の回路部品の温度特性が駆動電流検出値の検出誤差に大きな影響を及ぼす場合には当該特定の回路部品であってよく、また、三角波生成回路などの所定の回路全体の温度特性が駆動電流検出値の検出誤差に影響する場合には当該所定の回路全体が前記回路部位であってよい。
【００１４】
上記本発明の制御装置において、前記駆動電流検出手段は、ファンモータの駆動電流を電圧に変換して出力する電流−電圧変換回路と、周期的な三角波電圧（本発明においては「のこぎり波電圧」を含むものとする。）を出力する三角波生成回路と、前記電流−電圧変換回路の出力電圧と前記三角波生成回路の出力電圧とを比較して前記電流−電圧変換回路の出力電圧に応じたデューティ比のパルス信号を出力する比較器と、該比較器が出力するパルス信号のデューティ比に基づく演算により前記駆動電流検出値を算出する演算手段とを備えることができる。また、前記三角波生成回路は、温度に応じて静電容量が変化するコンデンサを回路構成部品として備えるとともに、前記コンデンサの静電容量に応じて前記三角波電圧の周期が変化するよう回路構成されていてよい。また、前記温度検出手段は、前記パルス信号の周期に基づいて前記コンデンサの周囲温度を検出するよう構成できる（請求項２）。以上の構成によれば、上記特許文献３に開示したようにファンモータの駆動電流の大小に関係なくパルス信号の取り込み精度を一定に保つことにより駆動電流検出値を高精度で安定させることができる。また、気温によってコンデンサの静電容量が変動して三角波電圧の周期が変化しても、駆動電流はパルス信号のデューティ比に基づいて検出するため、駆動電流検出値の精度及び安定性を阻害しない。一方、駆動電流を検出するための上記パルス信号の周期に基づいて周囲温度を検出でき、回路構成の簡素化、部品点数の削減を図ることができる。なお、周囲温度の検出精度は駆動電流の検出精度ほどには高くなくともよい。
【００１５】
さらに、給湯器などの器具の使用環境温度範囲は例えば−２０℃以上６０℃以下であると想定されるため、前記コンデンサは、想定使用環境温度範囲内での周囲温度の変化に対して線形的に静電容量が変化するものであることが好ましい（請求項３）。これによれば、パルス信号の周期に基づく駆動電流検出値の演算を、所定の数式（典型的には一次式）によって容易に行える。なお、「線形的に」とは、周囲温度と静電容量とが実質的に比例していればよく、周囲温度−静電容量特性グラフに多少の曲率や歪が存在していてもよい。また、本発明は、上記想定使用環境温度範囲の全範囲について必ずしも周囲温度に対して線形的にコンデンサの静電容量が変化するものに限定されず、想定使用環境温度範囲のうちの一部の範囲、例えば０℃〜４０℃ではコンデンサの静電容量が線形的に変化するが、それ以外の温度範囲では静電容量の変化率が急峻となったり、殆ど静電容量が変化しないものであってもよい。なお、想定使用環境温度範囲は、給湯器などの器具のメーカーが保証する当該器具の使用温度範囲として設定されたものであってよい。
【００１６】
前記温度検出手段は、前記駆動電流検出手段の所定部位に設けられたサーミスタの出力電圧に基づいて前記所定部位の周囲温度を検出するものであってよく、例えばサーミスタの出力電圧を入力して、該電圧に基づいて周囲温度を算出するマイクロプロセッサなどにより構成することができる（請求項４）。これによれば、駆動電流検出手段の適宜の位置にサーミスタを配設することで、所定部位の周囲温度を検出できる。この構成は、駆動電流検出手段による駆動電流検出値の検出誤差が、トランジスタやＩＣチップなどの能動素子の温度特性に大きく左右される場合に、能動素子近傍にサーミスタを配設することによって能動素子の周辺温度を検出して、かかる温度検出値に基づいて駆動電流検出値を補正できる。勿論、コンデンサや抵抗器などの受動素子の近傍にサーミスタを設けて、受動素子の周囲温度をサーミスタの出力電圧に基づいて検出することも可能である。また、複数のサーミスタを設けて、それらの出力電圧の平均値に基づいて複数のサーミスタを設けた部位の周囲温度を検出することもできる。
【００１７】
また、本発明は、上記制御装置と、該制御装置によって動作制御されるファンモータと、該ファンモータの回転軸に取り付けられるファンと、該ファンにより供給される空気と燃料ガスとの混合ガスを燃焼させて燃焼ガスを生成するバーナと、前記燃焼ガスとの熱交換により水を加熱する熱交換器とを備える強制給排気型給湯器であって、前記制御装置の前記検出誤差補正手段は、前記バーナが燃焼しているときの前記駆動電流検出手段の駆動電流検出値の検出誤差を補正するものとすることができる（請求項５）。これによれば、強制給排気型給湯器において燃焼動作を行っているときの駆動電流検出値の検出精度を向上させて、給排気路の閉塞度に応じてファンモータの回転数を最適に制御でき、気温が変動しても強制給排気型給湯器の燃焼効率が低下してしまうことを防止できる。さらに、気温変動によるファンモータの負荷特性に応じて、補正後の駆動電流検出値をさらに上記周囲温度に基づいて校正することによって、気温が変動しても一定の送風量となるようファンモータを制御できる。
【発明の効果】
【００１８】
以上説明したように、本発明によれば、気温が変動しても正確にファンモータの駆動電流を検出して、ファンモータ駆動電流に基づく各種制御を的確に行うことができる。
【図面の簡単な説明】
【００１９】
【図１】本発明の一実施形態に係る強制給排気型給湯器の作動原理図である。
【図２】同給湯器のファンモータ制御装置の概略回路図である。
【発明を実施するための形態】
【００２０】
以下、本発明の実施形態を図面に基づいて説明する。
【００２１】
図１は、本発明の一実施形態に係る強制給排気型の潜熱回収型高効率給湯器を示しており、該給湯器は、各種制御を行う制御装置１（制御部）と、燃焼缶体２と、給湯回路３とを備えている。缶体２内部には、燃焼ガスを生成する燃焼部４と、該燃焼部４の上方に配置された一次熱交換器５と、該一次熱交換器５のさらに上方に配置された二次熱交換器６（凝縮熱交換器）とが設けられている。さらに、燃焼部４に対して燃焼用空気を供給するファン７が燃焼部４の下方に配設されている。ファン７はファンモータＭによって回転駆動され、ファンモータＭの回転数は制御装置１によって最適値に制御される。
【００２２】
燃焼部４は、図示例では４つの燃焼領域に区分されており、各燃焼領域はそれぞれ複数本のバーナによって形成されている。各燃焼領域には、燃料ガス供給源側から燃焼用燃料として燃料ガスを供給するガス供給管４１が接続されている。このガス供給管４１には、燃料ガス供給源側から順に、元栓としての元ガス電磁弁４２と、ガス供給量を調整するガス比例弁４３とが設けられている。このガス比例弁４３の下流側でガス供給管４１が各燃焼領域毎に分岐されている。各燃焼領域に対応して第１〜第４の能力切替弁ＳＶ１〜ＳＶ４が個別に設けられており、各能力切替弁ＳＶ１〜ＳＶ４を開閉することによって各燃焼領域への燃料ガスの供給を個別に制御可能となっている。各燃焼領域に供給された燃料ガスは、各バーナ毎に設けられたガス通路を介して各バーナに供給され、バーナ内で燃料ガスと燃焼用空気とが混合され、該混合ガスが燃焼することによって燃焼ガスが生成される。
【００２３】
一次熱交換器５は、燃焼部４で生じる燃焼ガスの顕熱を回収するものであり、二次熱交換器６は、一次熱交換器５において回収しきれなかった燃焼ガスの熱エネルギー、すなわち潜熱を回収して一次熱交換器５での加熱前に給水を予熱するためのものである。これら熱交換器によって熱エネルギーが回収された後の燃焼排ガスは、缶体２の上部に設けられた排気口２ａより強制排気される。
【００２４】
給湯回路３は、給水接続口から給水を受けた水道水等を二次熱交換器６に入水させる入水路３１と、二次熱交換器６及び一次熱交換器５で熱交換加熱された湯を出湯させる出湯路３２と、入水路３１から分岐して出湯路３２に冷水を供給するバイパス路３３とを備えている。バイパス路３３にはバイパス流量制御弁３４が設けられ、バイパス路３３を介したバイパス流量を調節することによって出湯湯温を制御可能となっている。入水路３１には缶体流量センサ３５が設けられている。バイパス路３３との合流部よりも上流側で出湯路３２には、缶体流量制御弁３８とが設けられている。
【００２５】
なお、燃焼部４の上方には点火プラグ８及びフレームロッド（立消え安全装置）９が燃焼缶体２に設けられている。また、二次熱交換器６の下方には凝縮水をドレンとして回収するドレン回収トレイ６１が設けられ、回収されたドレンは中和装置６２によって中和された後に排水される。また、入水温度、出湯温度、缶体排気温度及びファンモータＭの回転数など、給湯運転制御に必要な各種パラメータを測定するセンサ乃至測定回路が適所に設けられている。
【００２６】
上記ファンモータＭ、能力切替弁ＳＶ１〜ＳＶ４、元ガス電磁弁４２、ガス比例弁４３、バイパス流量制御弁３４及び缶体流量制御弁３８などの各制御対象は、制御装置１によって制御される。制御装置１は、給湯運転中、上記各センサからそれぞれの検出値を取得し、これら検出値と要求される給湯能力とに基づいて要求燃焼熱量を決定し、要求燃焼熱量が得られるように燃焼部４の能力段数及び比例弁１０の開度を制御するとともに、要求される給湯湯温が得られるように缶体流量制御弁３８及びバイパス流量制御弁３４の開度を制御する。さらに、制御装置１は、要求燃焼熱量に応じた最適な送風量となるようファンモータＭの目標回転数を演算により求め、かかる目標回転数でファンモータＭを回転駆動させる。
【００２７】
図２にも示すように、制御装置１は、制御中枢としてのマイクロプロセッサ１１と、ＥＥＰＲＯＭなどの書き換え可能不揮発性メモリ１２（記憶手段）とを備えている。さらに、図示例ではファンモータＭはＤＣモータとされ、マイクロプロセッサ１１からの駆動電圧指令信号に応じた駆動電圧をファンモータＭに印加させる駆動回路１３と、ファンモータＭの駆動電流を電圧に変換して出力する電流−電圧変換回路１４と、該回路１４の出力電圧と比較するための周期的な三角波電圧を生成出力する三角波生成回路１５と、電流−電圧変換回路１４の出力電圧と三角波生成回路１５が出力する三角波電圧とを比較して電流−電圧変換回路の出力電圧に応じたデューティ比（すなわち、ファンモータＭの駆動電流に応じたデューティ比）のパルス信号を出力する比較器１６とを備えている。
【００２８】
電流−電圧変換回路１４は適宜の回路構成であってよいが、図示例では、ファンモータＭに直列に接続された抵抗器１４ａと、該抵抗器１４ａの両端電圧を増幅する増幅器１４ｂとにより構成されている。
【００２９】
三角波生成回路１５は、シュミット回路（ヒステリシス回路）を構成する第１のオペアンプ１５ａと、積分回路を構成する第２のオペアンプ１５ｂとにより主構成されており、第１のオペアンプ１５ａの非反転入力端子には第１のオペアンプ１５ａの出力電圧と第２のオペアンプ１５ｂの出力電圧との差電圧を分圧抵抗Ｒ２，Ｒ３で分圧してなる電圧が入力され、上記積分回路は、第２のオペアンプ１５ｂの反転入力端子と出力端子との間に設けられたコンデンサＣと、反転入力端子に設けられた抵抗器Ｒ１とを備えている。なお、第１のオペアンプ１５ａの反転入力端子、並びに、第２のオペアンプ１５ｂの非反転入力端子には、それぞれ所定の電圧が入力されている。
【００３０】
この三角波生成回路１５の発振周波数ｆは、次式（１）により表され、その周期は（１／ｆ）秒となる。
【００３１】
ｆ＝（Ｒ２／Ｒ３）／（４・Ｃ・Ｒ１）  ・・・（１）
【００３２】
また、本実施形態では、コンデンサＣとして、想定使用環境温度範囲内（例えば、−２０℃以上６０℃未満の範囲）の周囲温度の変化に対して線形的に静電容量が変化する積層セラミックコンデンサを用いており、例えば、温度２０℃のときの静電容量を１００％とすると、温度−２０℃で静電容量が１１０％、温度６０℃で静電容量が９０％となるものを用いることができる。この場合、温度−２０℃のときに対して温度６０℃のときの三角波の周期は約２割減となり、例えば、温度−２０℃のときに周期が約２４０ミリ秒となり、温度６０℃のときに周期が約２００ミリ秒となるよう回路構成できる。
【００３３】
なお、温度の変化に対する静電容量の変化率がより大きいものを採用することもできる。また、温度の変化に対して二次曲線的に静電容量が変化するものを用いることもできるが、給湯器１が設置される環境の想定使用環境温度範囲内、例えば−２０℃〜６０℃内では、温度が上昇するにしたがって静電容量が徐々に減少、若しくは、徐々に増加するものを用い、異なる２つの温度で静電容量が同一となるものは用いないようにする。
【００３４】
マイクロプロセッサ１１は、所定のプログラムの実行により種々の制御手段として機能し、本実施形態では特に、比較器１６が出力するパルス信号のデューティ比に基づく演算によりファンモータＭの駆動電流検出値を算出する演算手段１１ａとして機能し、該演算手段１１ａ、電流−電圧変換回路１４、三角波生成回路１５及び比較器１６により、ファンモータＭの駆動電流を検出する駆動電流検出手段が構成されている。この駆動電流検出手段は、上記特許文献３に開示した駆動電流検出方法と同様の方法によってファンモータＭの駆動電流検出値を検出できる。
【００３５】
さらに、マイクロプロセッサ１１は、三角波生成回路１５の積分回路を構成するコンデンサＣの周囲温度を比較器１６が出力するパルス信号の周期に基づく演算により検出する温度検出手段１１ｂ、温度検出手段１１ｂにより検出される温度に基づいて駆動電流検出手段による駆動電流検出値の検出誤差を補正する検出誤差補正手段１１ｃ、並びに、ファンモータＭが目標回転数となるよう駆動回路に対して駆動電圧指令信号を出力する回転数制御手段１１ｄとして機能する。
【００３６】
回転数制御手段１１ｄは従来公知の適宜の構成とすることができ、例えば、要求給湯号数及び設定給湯温度に応じた最適な量の燃焼用空気を供給するためのファンモータＭの目標回転数を演算により求め、駆動回路１３やファンモータＭに設けた回転数検出手段が出力する回転数検出信号に基づいて目標回転数となるよう駆動電圧をフィードバック制御する。また、適宜、検出誤差補正手段１１ｃによって補正された駆動電流値に基づいて給排気路の閉塞度を推定して、該閉塞度に応じた回転数となるようファンモータＭの目標回転数を補正したり、同一負荷時（同一送風量時）でも周囲温度の変動によりファンモータＭの駆動電流値が変動するという負荷特性を考慮して、検出誤差補正手段１１ｃにより補正された駆動電流値をさらに校正したりするなど、適宜の演算を回転数制御手段１１ｄに行わせることができる。
【００３７】
なお、上記各手段１１ａ，１１ｂ，１１ｃ，１１ｄを構成するプログラムや演算式は、プログラムコード乃至演算式として分離した状態で実装されていてもよいし、一体のプログラム乃至演算式として実装されていてもよい。
【００３８】
なお、三角波生成回路１５が出力する三角波電圧の周期には、同一の温度下であっても製品個体ごとに誤差が生じるため、器具出荷時に、所定の雰囲気温度下（例えば２０℃）での三角波電圧の周期を読み込んで書き換え可能不揮発性メモリ１２に基準周期として記憶させておき、実使用時における上記パルス信号の周期の上記基準周期に対する比率に基づいて温度を検出するよう温度検出手段１１ｂを構成できる。なお、所定の雰囲気温度環境を準備できない場合には、器具出荷時の出荷作業環境温度下で三角波電圧の周期を読み込み、該周期を基準温度（例えば２０℃）での周期に所定の換算式を用いて換算して、基準周期として記憶させることもできる。
【００３９】
検出誤差補正手段１１ｃは、演算手段１１ａが出力する駆動電流検出値を、温度検出手段により検出された温度検出値に基づいて補正することにより、温度変動による電流−電圧変換回路１４や比較器１６などの駆動電流検出手段を構成する回路の出力特性の変動による検出誤差を補正して、ファンモータＭの実駆動電流値を算出する。この検出誤差補正手段１１ｃによる演算方法は適宜のものであってよく、例えば、実機において気温（周囲温度）とファンモータ駆動電流値との関係を実測して、該実測値をデータテーブルとして書き換え可能不揮発性メモリ１２若しくはＲＯＭ内に記憶させておき、このデータテーブルを参照することによって温度検出値に基づいて駆動電流検出値を補正することができる。また、上記複数の実測値近傍を通る近似曲線式に基づいて温度検出値に基づいて駆動電流検出値を補正することもできる。
【００４０】
上記データテーブルは、例えば、−２０℃〜６０℃の温度範囲の所定温度毎（例えば１℃毎）の各温度Ｔにおける基準温度に対する補正率α（Ｔ）を記憶させたものとすることができる。そして、下記式（２）に示すように、温度検出手段によって検出された温度検出値Ｔに対応する補正率α（Ｔ）を、演算手段１１ａが出力する駆動電流検出値（読み込み値）に乗算することによって、正しい駆動電流値を算出できる。
【００４１】
補正後の駆動電流値＝α（Ｔ）×駆動電流検出値  ・・・（２）
【００４２】
この補正後の駆動電流値に基づいてファンモータ回転数の校正を行うことで、より的確なファンモータ回転数制御を行わせることができ、燃焼効率を一層向上できる。さらに、燃焼部４が燃焼しているときの駆動電流検出手段の駆動電流検出値の検出誤差が補正されるので、補正後の駆動電流値とファンモータ回転数検出値とに基づいて給排気路の閉塞判定を制御装置１に行わせることで、より正確な閉塞判定を行うことができ、閉塞判定結果に基づく燃焼停止制御を一層的確なタイミングで行うことが可能となる。
【００４３】
本発明は上記実施形態に限定されるものではなく、適宜設計変更できる。例えば、上記実施形態では給湯器の制御装置の例を示したが、給湯器以外のファンモータを搭載する種々の機器の制御装置として実施可能である。また、ファンモータがＡＣモータ若しくはＰＷＭ駆動式モータである場合は、ファンモータに供給される駆動電流波形を平滑化してなる電流値を検出するものであってもよいし、駆動電流波形の最大値を検出するものであってもよい。
【符号の説明】
【００４４】
１      制御装置
４      燃焼部
５      一次熱交換器
６      二次熱交換器
７      ファン
１１ａ  演算手段
１１ｂ  温度検出手段
１１ｃ  検出誤差補正手段
１４    電流−電圧変換回路
１５    三角波生成回路
１６    比較器
Ｍ      ファンモータ
【図１】
2017150776.tif 000003
【図２】
2017150776.tif 000004